(57)【特許請求の範囲】
【請求項１】
装着対象の体温上昇を抑制させる体温上昇抑制手段であって、
袋体と、送風手段とを含み、
前記袋体は、袋本体と、前記袋本体を前記装着対象からずれないように装着させる装着手段とを有し、
前記送風手段は、電源とファンとを有し、前記袋本体に空気を送風させ、
前記袋本体が、前記装着対象の体に沿って膨らんでいると共に開放部を有する空間をなし、
前記開放部が、前記袋本体のいずれかの端部に備えられ、
前記装着対象に面する前記袋本体の内面側が通気性を有し、前記内面側の周囲が前記装着対象に接するように装着され、
前記空間の中に送風された前記空気が、前記装着対象の体に沿って流れてから前記開放部から放出され、
前記装着対象が人とされ、
前記体温上昇抑制手段が、フードを備え、
前記フードは、前記人の頭部と、前記開放部とを覆うように延びている、
ことを特徴とする体温上昇抑制手段。
【請求項２】
前記フードは、フェイスマスクを有し、
前記フェイスマスクが、前記フードの側面から前記人の顔面部を覆っている、
ことを特徴とする請求項１に記載の体温上昇抑制手段。
【請求項３】
前記袋本体は開口を有し、
前記開口が、前記内面側に形成され、
前記人の汗が前記開口を通して前記空間内に気化される、
ことを特徴とする請求項１又は請求項２に記載の体温上昇抑制手段。
【請求項４】
装着対象の体温上昇を抑制させる体温上昇抑制手段であって、
袋体と、送風手段とを含み、
前記袋体は、袋本体と、前記袋本体を前記装着対象からずれないように装着させる装着手段とを有し、
前記送風手段は、電源とファンとを有し、前記袋本体に空気を送風させ、
前記袋本体が、前記装着対象の体に沿って膨らんでいると共に開放部を有する空間をなし、
前記開放部が、前記袋本体のいずれかの端部に備えられ、
前記装着対象に面する前記袋本体の内面側が通気性を有し、前記内面側の周囲が前記装着対象に接するように装着され、
前記空間の中に送風された前記空気が、前記装着対象の体に沿って流れてから前記開放部から放出され、
前記開放部が、開放部の大きさを変える開放幅調整手段を有している、
ことを特徴とする体温上昇抑制手段。
【請求項５】
装着対象の体温上昇を抑制させる体温上昇抑制手段であって、
袋体と、送風手段とを含み、
前記袋体は、袋本体と、前記袋本体を前記装着対象からずれないように装着させる装着手段とを有し、
前記送風手段は、電源とファンとを有し、前記袋本体に空気を送風させ、
前記袋本体が、前記装着対象の体に沿って膨らんでいると共に開放部を有する空間をなし、
前記開放部が、前記袋本体のいずれかの端部に備えられ、
前記装着対象に面する前記袋本体の内面側が通気性を有し、前記内面側の周囲が前記装着対象に接するように装着され、
前記空間の中に送風された前記空気が、前記装着対象の体に沿って流れてから前記開放部から放出され、
前記ファンが、複数のファンからなり、
前記複数のファンが、前記袋本体の外面側に、前記空間の膨らんだ状態を維持するように、競り合うように並んで配設されている、
ことを特徴とする体温上昇抑制手段。
【請求項６】
前記装着手段は、前記装着対象に接して装着させる帯体を備え、
前記帯体が、通気性をしている、
ことを特徴とする請求項１乃至請求項５のいずれか一項に記載の体温上昇抑制手段。
【請求項７】
前記装着手段は、前記装着対象に接して装着させる帯体を備え、
前記帯体に沿って、所定の間隔で通気穴が形成された通気パイプが格納され、
前記送風手段が、前記通気パイプにも送風させている、
ことを特徴とする請求項１乃至請求項６のいずれか一項に記載の体温上昇抑制手段。
【発明の詳細な説明】
【技術分野】
【０００１】
本発明は、装着対象の体温の上昇を抑制させる体温上昇抑制手段に関する。装着対象は、例えば、ランニング、ジョギングや、農作業のように所定の動作を繰り返す者、親に抱かれ又は背負われた乳幼児等の人に限定されず、ペット等の動物であってもよい。本発明の体温上昇抑制手段は、装着対象に沿った緩やかな空気の流れによって、装着された面の体温上昇をむらなく抑制させると共に、使用可能時間が長く、装着対象の姿勢の変化に追随しやすい体温上昇抑制手段に関する。
【０００２】
従来、気温が高い環境において、作業者の体温上昇を抑制させる体温上昇抑制手段として、空調服が知られている。空調服の中の密閉させた空間に空気を送風し、空調服の中に溜まった湿った空気を、作業者と空調服との隙間から外部に排出し、作業者の汗の気化に伴う熱を吸収する作用により、作業者の体温上昇を抑制していた。
【０００３】
しかし、空調服は、肘を折り曲げる動作を繰り返しするランニング等に適用する場合には、肘の周りの空間が潰れ空気が流れなくなる。そうすると、体温上昇を抑制させにくくなるばかりでなく、外に膨らんだ外面の素材が擦れあって、外面の素材を傷める可能性があると共に動作しにくくなるという課題があった。
【０００４】
一方、登山ザック等は、着用者に登山ザックの背面の全面が押し付けられないように、着用者と登山ザックの背面との間に、着衣に浸み込んだ汗を乾燥されやすくする隙間をあけている。また、着衣の汗を少しでも乾きやすくするために、登山ザックと着用者の隙間に電動ファンにより送風する技術も公知となっている。
【０００５】
特許文献１には、背負い袋と一体をなす体温上昇抑制手段の技術が開示されている。体温上昇抑制手段は、送風手段と背当て部本体とを含み、背当て部本体がパイプとされている。そして、パイプの着用者側をメッシュ状とし、パイプ下部からファンが吸引した空気をパイプ上部から排出させ、またはパイプ上部からファンが取り込んだ空気をパイプ下部から排出させて、パイプに空気を流すことにより、背の蒸れを効果的に除去させるとしている。
【０００６】
しかし、荷を入れる背負い袋が背からずれないように、背負い袋を背に押し付けるように着用すると、パイプが押し潰され、空気が流通しにくくなる。押し潰されたパイプに、空気をスムーズに流通させるためには、ファンの送風能力やバッテリー容量を大きくしておく必要があると共に、送風の際に大きな音を発生させるという課題があった。
【０００７】
一方、パイプの剛性を高くし、パイプが押し潰されないようにすると、着用者の姿勢が変わった際にパイプの変形が追随できず、着用しにくくなるという課題があった。特許文献１に記載の技術は、背負い袋が着用者の背からずれないような、上半身を一定の姿勢に保つ動作に適用できても、上半身の姿勢が一定でない場合には適用できないという課題があった。
【０００８】
特許文献２には、矩形板状の背当て具の技術が開示されている。背当て具は、ファンと網構造体とされた背当て具本体とを含んでいる。ファンは、着用者の背に接する背当て具本体の中央位置に備えられている。着用者の背に向けてファンから送風させると共に、網構造体を通った空気が背当て具の周囲から排出されるようにされている。
【０００９】
特許文献２に記載の技術も、網構造体に空気を流すことが必要であるために、ファンの送風能力やバッテリー容量を大きくしておく必要があった。更に、ファンに面している着用者の背の部分は、空気の流れが速く過度に冷却され、背の周囲の部分は空気の流れが遅く冷却されにくく、体温上昇抑制効果にむらが発生しやすいという課題もあった。
【００１０】
特許文献３には、送風手段と透湿性を有する偏平体本体とを含んだ体温上昇抑制手段の技術が開示されている。偏平体本体の内部に空気流通経路をなすスペーサを備えさせ、送風手段により空気流通経路に空気が流通されるとしている。
【００１１】
特許文献３に記載の技術によれば、偏平体本体は、着用者が首から吊り下げて、乳幼児または背負い袋の間に装着され、送風した空気により扁平体本体に浸み込んだ汗を気化させるとしている。しかし、装着感が阻害されないように偏平体本体が薄くされているため、空気流通経路が狭く、特許文献３に記載の技術も、ファンの送風能力やバッテリー容量を大きくしておく必要があった。
【００１２】
特許文献４には、送風手段と、面ファスナーにより着衣に装着させる袋体とからなる体温上昇抑制手段の技術が開示されている。袋体には、着用者の背に向けて空気を送風させる通気口が備えられている。特許文献４に記載の技術によれば、送風された空気が、通気口から背に向けて送風されるだけなので、袋体に面した背の部分の汗が気化しやすい反面、気化した汗の湿気が着衣内にこもりやすいという課題があった。
【先行技術文献】
【特許文献】
【００１３】
【特許文献１】特開２００４−１４７８７１号
【特許文献２】特開２０１６−５２３６９号
【特許文献３】登実３２０７２６２号
【特許文献４】登実３１７３１９８号
【発明の概要】
【発明が解決しようとする課題】
【００１４】
そこで、本願の発明者は、装着された面の体温上昇をむらなく抑制させると共に、使用可能時間が長く、装着対象の姿勢の変化に追随しやすい体温上昇抑制手段を提供することを課題とした。
【課題を解決するための手段】
【００１５】
本発明の第１の発明は、装着対象の体温上昇を抑制させる体温上昇抑制手段であって、袋体と、送風手段とを含み、前記袋体は、袋本体と、前記袋本体を前記装着対象からずれないように装着させる装着手段とを有し、前記送風手段は、電源とファンとを有し、前記袋本体に空気を送風させ、前記袋本体が、前記装着対象の体に沿って膨らんでいると共に開放部を有する空間をなし、前記開放部が、前記袋本体のいずれかの端部に備えられ、前記装着対象に面する前記袋本体の内面側が通気性を有し、前記内面側の周囲が前記装着対象に接するように装着され、前記空間の中に送風された前記空気が、前記装着対象の体に沿って流れてから前記開放部から放出され、前記装着対象が人とされ、前記体温上昇抑制手段が、フードを備え、前記フードは、前記人の頭部と、前記開放部とを覆うように延びていることを特徴としている。
【００１６】
装着手段は、袋本体を装着対象からずれないように装着させればよく、腕を通す環状帯、腰に巻く帯体等が好適であるが限定されない。また、装着対象の体格や装着姿勢の違いに応じて、長さが調整できる紐、両面ファスナー等を使って、装着対象からずれないように装着されるとより好適である。
【００１７】
開放部が備えられる袋本体の端部の位置は限定されず、空間の内部の空気の放出が円滑にされる側とされればよい。例えば、人の背に装着させる場合には、開放部を袋本体の上方部に形成させると、ランニング等の際に血管が集まる首を冷却させ好適である。一方、四足動物の背面に装着させる場合には、開放部は袋本体の後方部に形成させると、四足動物の動作により袋本体からの空気の放出が阻害されず好適である。
【００１８】
送風手段をなすファンの大きさ・数・取り付け位置・形態・送風能力は限定されず、バッテリーの容量・取り付け位置も限定されない。袋本体にファンを固定させれば、送風管がなくても袋本体の中の空間に送風可能である。一方、装着手段にファンを固定すれば、送風管を通して複数の箇所に送風することが容易である。ファンを装着者の着衣の一部に固定させるようにしてもよいことは勿論のことである。
【００１９】
装着対象に面する袋本体の内面側が通気性を有していればよく、素材は限定されない。袋本体の内面側の周囲が装着対象に接するように装着されている。これにより、袋本体の中の空間に送風された空気は、袋本体の周囲から漏れにくく、空気の流れが緩やかでも、装着対象の体に沿って開放部に向けて空間の中を流れて、効果的に装着対象の体温上昇を抑制させて開放部から放出される。
【００２０】
本発明の第１の発明の体温上昇抑制手段によれば、装着対象の一部に袋本体の周囲が接し、ずれないように装着されるため、装着対象の動作を妨げることがない。また、袋本体が、押し潰されない膨らんだ空間をなし、端部に備えられた開放部から、空間の内部の空気を緩やかに放出させるだけでよいので、ファンの送風能力が小さくてもよく、大きな音が発生しにくいと共に消費電力を抑制することができる。本発明の第１の発明によれば、装着された面の体温上昇をむらなく抑制させると共に、使用可能時間が長く、装着対象の姿勢の変化に追随しやすいという従来にない有利な効果を奏する。
【００２１】
開放部から放出された空気がフードの中を通って放出され、放出された空気が人の頭部の体温上昇を抑制すると共に、人の頭部への日射を和らげ体温上昇をより抑制させる。人がランニング等をする際に鍔付帽子が着用される場合には、鍔付帽子からフードが外れないように、鍔付帽子との外れ止め防止手段をフードに備えさせておくと、フードが風によっても外れず好適である。
【００２２】
本発明の第２の発明は、第１の発明の体温上昇抑制手段において、前記フードは、フェイスマスクを有し、前記フェイスマスクが、前記フードの側面から前記人の顔面部を覆っていることを特徴としている。第２の発明によれば、フードにフェイスマスクが備えられていることにより、放出された空気が顔面部の体温上昇を抑制させると共に、人の顔面部への日射を和らげ体温上昇をより抑制させる。
【００２３】
本発明の第３の発明は、第１又は第２の発明の体温上昇抑制手段において、前記袋本体は開口を有し、前記開口が、前記内面側に形成され、前記人の汗が前記開口を通して前記空間内に気化されることを特徴としている。
【００２４】
内面側に形成される開口の大きさ・形状・数は限定されず、人の動作に適合したものが選択されればよい。例えば、人の背に接する部分に大きな開口を設けておけば、ジョギングをする際に、ウェアの一部が背から離れる状態となって、ウェアの汗が気化しやすくなる。一方、人の背に接する部分に、分散した開口を設けておけば、早く走る場合でもウェアの一部が背から離れにくく、人と一体となっているという装着感を変えないでウェアの汗が気化される。第３の発明によれば、人の動作に応じた体温上昇抑制をさせることが可能となる。
【００２５】
本発明の第４の発明は、装着対象の体温上昇を抑制させる体温上昇抑制手段であって、袋体と、送風手段とを含み、前記袋体は、袋本体と、前記袋本体を前記装着対象からずれないように装着させる装着手段とを有し、前記送風手段は、電源とファンとを有し、前記袋本体に空気を送風させ、前記袋本体が、前記装着対象の体に沿って膨らんでいると共に開放部を有する空間をなし、前記開放部が、前記袋本体のいずれかの端部に備えられ、前記装着対象に面する前記袋本体の内面側が通気性を有し、前記内面側の周囲が前記装着対象に接するように装着され、前記空間の中に送風された前記空気が、前記装着対象の体に沿って流れてから前記開放部から放出され、前記開放部が、開放部の大きさを変える開放幅調整手段を有していることを特徴としている。発汗しない動作又は発汗量の少ない動作がされる場合には、消費電力を抑えるように送風手段からの送風量を絞ると共に開放部を小さくする。開口部が小さくても空気に流れが発生されるため、その空気の流れに沿った装着対象の一部を冷却させることができる。
【００２６】
一方、発汗量が多い動作をする場合には、開放部の大きさを大きくすればよい。袋本体の中の高い湿度の空気が放出されやすくなることにより、周囲から熱を吸収する汗の気化が促進され、発汗量の多い動作に応じた体温上昇を抑制させることが可能である。第４の発明によれば、袋本体からの空気の放出量を変えて、装着対象の発汗の状態に応じた体温上昇抑制の効果を得ることができるという有利な効果を奏する。
【００２７】
本願の発明の体温上昇抑制手段の装着対象は、動くことにより体温上昇をする動物であればよく、限定されない。人や馬のように汗腺が体にある動物に装着させた場合には、体温よりも低い温度の空気が体に沿って流れる作用と、汗を含んだ高い湿度の空気を空間から排出し、汗の気化を容易にし、汗の気化により周囲から熱を吸収する作用により体温上昇を抑制させる。汗をかきにくいとされている動物に装着させた場合には、主として体温よりも低い温度の空気が体に沿って流れる作用により体温上昇が抑制される。
【００２８】
本発明の第５の発明は、装着対象の体温上昇を抑制させる体温上昇抑制手段であって、袋体と、送風手段とを含み、前記袋体は、袋本体と、前記袋本体を前記装着対象からずれないように装着させる装着手段とを有し、前記送風手段は、電源とファンとを有し、前記袋本体に空気を送風させ、前記袋本体が、前記装着対象の体に沿って膨らんでいると共に開放部を有する空間をなし、前記開放部が、前記袋本体のいずれかの端部に備えられ、前記装着対象に面する前記袋本体の内面側が通気性を有し、前記内面側の周囲が前記装着対象に接するように装着され、前記空間の中に送風された前記空気が、前記装着対象の体に沿って流れてから前記開放部から放出され、前記ファンが、複数のファンからなり、前記複数のファンが、前記袋本体の外面側に、前記空間の膨らんだ状態を維持するように、競り合うように並んで配設されていることを特徴としている。
【００２９】
ファンの数は限定されず、少なくとも一対のファンが近接して並び、ファンが近接している部分が袋本体の内面側から離間するように、競り合って配設されればよい。また、ファンの固定位置と装着対象に応じて、ファンの吸引面に髪の毛等の巻き込み防止ネットが備えられていると好適である。本発明の第５の発明によれば、袋本体が前記装着対象の体に沿って膨らんでいる状態が、装着の際などに潰れることがない。
【００３０】
本発明の第６の発明は、第１から第５の発明の体温上昇抑制手段において、前記装着手段は、前記装着対象に接して装着させる帯体を備え、前記帯体が、通気性を有することを特徴としている。
【００３１】
装着対象に接する装着手段をなす腕を通す環状帯体、腰に巻く帯体等が通気性を有しているため、帯体に接する部分の汗が気化しやすくなる。帯体は吸汗性のある素材が好適であるが、通気性を有していればよく限定されない。第６の発明によれば、装着手段をなす帯体と装着対象とが接する部分の体温上昇が抑制される。
【００３２】
本発明の第７の発明は、第１から第６の発明の体温上昇抑制手段において、前記装着手段は、前記装着対象に接して装着させる帯体を備え、前記帯体に沿って、所定の間隔で通気穴が形成された通気パイプが格納され、前記送風手段が前記通気パイプにも送風させていることを特徴としている。
【００３３】
装着対象に接する装着手段をなす帯体に、所定の間隔で通気穴が形成された通気パイプが格納され、送風手段から通気パイプに送風されることにより、通気パイプの通気穴から空気が放出され、装着手段をなす帯体に浸み込んだ汗が気化しやすくなる。第７の発明によれば、装着手段をなす帯体と装着対象とが接する部分の体温上昇がより抑制される。
【発明の効果】
【００３４】
・第１の発明によれば、装着された面の体温上昇をむらなく抑制させると共に、使用可能時間が長く、装着対象の姿勢の変化に追随しやすいという従来にない有利な効果を奏する。また、開放部から放出された空気がフードの中を通って放出され、放出された空気が人の頭部の体温上昇を抑制すると共に、人の頭部への日射を和らげ体温上昇をより抑制させる。
・第２の発明によれば、フードにフェイスマスクが備えられていることにより、放出された空気が顔面部の体温上昇を抑制させると共に、人の顔面部への日射を和らげ体温上昇をより抑制させる。
・第３の発明によれば、人の動作に応じた体温上昇抑制をさせることが可能となる。
【００３５】
・第４の発明によれば、袋本体からの空気の放出量を変えて、装着対象の発汗の状態に応じた体温上昇抑制の効果を得ることができるという有利な効果を奏する。
・第５の発明によれば、袋本体が前記装着対象の体に沿って膨らんでいる状態が、装着の際などに潰れることがない。
・第６の発明によれば、装着手段をなす帯体と装着対象とが接する部分の体温上昇が抑制される。
・第７の発明によれば、装着手段をなす帯体と装着対象とが接する部分の体温上昇がより抑制される。
【図面の簡単な説明】
【００３６】
【図１】体温上昇抑制手段の背面からの斜視図（実施例１）。
【図２】体温上昇抑制手段の内方側からの斜視図（実施例１）。
【図３】体温上昇抑制手段を人が着用した状態の説明図（実施例１）。
【図４】体温上昇抑制手段を人が着用した状態の説明図（実施例１）。
【図５】放出方向を変更する変換手段を有する体温上昇抑制手段の説明図（実施例２）。
【図６】袋本体の内面側に開口を有する体温上昇抑制手段の説明図（実施例３）。
【図７】頭部を覆うフードを有する体温上昇抑制手段の説明図（実施例４）。
【図８】幼児の抱っこ紐に適用した体温上昇抑制手段の説明図（実施例５）。
【図９】帯体に通気パイプを格納した体温上昇抑制手段の説明図（実施例６）。
【発明を実施するための形態】
【００３７】
本発明の理解を容易にするために、人に適用させる体温上昇抑制手段の実施例として、人が背負う背負い袋の実施例及び幼児を抱く抱っこ紐の実施例を示している。装着対象をペットとする場合には、ペットの背面に背負い袋として適用させればよい。
【実施例１】
【００３８】
実施例１では、人の体温上昇を抑制させる体温上昇抑制手段１を、図１から図４を参照して説明する。図では、風の流れを白抜き矢印で示し、汗の気化の流れを破線矢印で示している。実施例２以下も同様としている。側方図では理解を容易にするため、人の腕の一部を破線で示している。
【００３９】
図１は、人が背負った体温上昇抑制手段１を、背面からの斜視図により示している。図２は、体温上昇抑制手段１を、内方側からの斜視図により示している。図３（Ａ）図は体温上昇抑制手段１の側面図を示している。図３（Ｂ）図は図２Ａ−Ａ位置の断面図を示している。図４（Ａ）図は人が着用した状態の体温上昇抑制手段１の平面図を示している。図４（Ｂ）図は、図３（Ａ）図のＡ−Ａ位置の断面図を示している。
【００４０】
体温上昇抑制手段１は、袋体１０と、送風手段をなすファン４０及び電源４２とからなっている。袋体１０は、袋本体１１と装着手段２０とを有している。袋本体１１は、人１００の背中に沿って膨らんだ状態とされ、袋本体１１がなす空間１２の中にファン４０から空気が送風される（図１，図３参照）。実施例１の袋本体１１には、上方端部に開放部３０が形成され、開放部３０から空間１２の中に送風された空気が上方に放出される。
【００４１】
袋本体の内面側１３には、通気性が備えられている（図２参照）。装着した人の汗は、内面側１３を通して、袋本体内の空間１２に放散され、開放部３０から外に放出される（図３（Ｂ）図参照）。袋本体の内面側１３の材質は限定されない。例えば、袋本体の内面側１３をなす素材が、通気性と吸汗性を有する布帛であってもよく、通気孔が形成された通気性だけを有する柔軟な素材、例えば孔があいた樹脂シート等であってもよい。袋本体の外面側１５は、通気性の小さい素材、例えばナイロン製の布帛であればよいが、樹脂シート等であってもよい（図３（Ｂ）図参照）。
【００４２】
体温上昇抑制手段１は、袋体の内面側の周囲１４が、人の背中に接するように装着される（図２，図３参照）。内面側の周囲１４が接した状態で、空気が袋本体の中の空間１２に送風されると、空気は袋本体１１の周囲から漏れず、人の背中に沿って流れ、空間１２内に気化された汗（図３（Ｂ）図破線矢印参照）を含んだ湿った空気となって、開放部３０から上方に放出される（図３（Ｂ）図白抜矢印参照）。
【００４３】
開放部３０には、開放部の幅を変える開放幅調整手段をなすファスナー３１が設けられている。ファスナー３１を閉じて開放幅を小さくしておけば、ファン４０からの送風量が小さくても、開放部から装着している人１００の頭部後方への空気の流れが発生される。送風量を小さくすることにより、ファンの消費電力を抑制でき、長時間使用することができるようになる。また、ファンの騒音も大きくならず、頭部後方への微風により、長時間継続する農作業等であっても快適に作業することができる。
【００４４】
一方、ファスナー３１を開いて開放幅を大きくしておけば、袋本体１１の中の高い湿度の空気を外に速やかに放出させることができる。そのため、発汗量の多い動作、例えばランニング等をする場合でも、汗の気化が促進されやすい。開放幅を大きくした場合には、発汗量の多い動作であっても、好適に体温上昇を抑制させることが可能となる。
【００４５】
また、実施例１の袋本体１１は、上方部１９に比べて下方部１６が窄まった形状とされている（図１参照）。下方部１６が窄まっているため、ランニング等のように腕を前後に動かす動作をする場合であっても、袋本体の下方部１６が腕の動作を邪魔せず、快適にランニング等の動作をすることができる。
【００４６】
装着手段２０は、人の腕を通す左右一対の環状帯体２１，２１と、左右一対の環状帯体を人の胸の前でつなぐ胸帯体２２と、人の腰部に巻く腰帯体２３とを有している（図２参照）。各々の帯体は、長さ調整が可能とされている。また、胸帯体２２と腰帯体２３は、端部に相互に係着しあう連結具２４を有する一対の帯体からなっている。
【００４７】
連結具は、一方の端部の凹部に他方の端部の凸部を挿入させて係着してもよく、一方の帯体に形成された孔に他方の帯体の端部に形成された引掛け爪を引掛けて係着してもよく、公知の連結手段とすればよい。帯体の長さは、装着させる人の体格に応じて、公知の長さ調整手段により長さが調整可能とされていればよい。
【００４８】
長さ調整手段によって帯体の長さを装着させる人の体格に適合させておき、左右一対の環状帯体２１，２１に人が左右の腕を通して袋本体を背負ってから、胸帯体と腰帯体の端部の連結具を係着させて、体温上昇抑制手段が人に装着される。
【００４９】
左右の腕と、腰部とに帯体が巻かれ、左右の腕に巻かれた帯体が胸の前で連結されているため、袋本体１１は人が動作しても背からずれない。上記の帯体を変形して適用してもよいことは勿論のことである。例えば、左右一対の環状帯体を体の前面で交差させるようにしてもよく、胸帯体を省略してもよく、装着手段の形態は限定されない。
【００５０】
装着手段をなす環状帯体２１、胸帯体２２及び腰帯体２３の材質は限定されない。例えば、帯体を網目状布帛等の通気性を有する素材とすれば、帯体と人が接する部分についても汗が気化されやすく、人がより快適な状態で動作をすることができる。
【００５１】
送風手段をなす左右一対のファン４０は、袋本体の外面側１５に固定されている（図１参照）。左右一対のファン４０は、袋本体の空間１２内において、近接している部分同士が競り合うように並んで配列されている（図２，図４（Ｂ）図参照）。競り合うとは、左右一対のファン４０のファン面がなす内角が１８０度よりも小さい状態となっていることをいう（図２α参照）。一対のファンが競り合うことにより、袋本体１１の膨らんだ空間１２が膨らんだままの状態とされる。これにより、体温上昇抑制手段の脱着の際、人の動作中に、袋本体のなす膨らんだ空間１２が潰れることがない。
【００５２】
ファンの種類・形状・送風能力は限定されない。例えば、パーソナルコンピュータの冷却ファン等であれば、消費電力が少なく長時間の連続使用ができると共に、軽量であり好適であるが、限定されない。ファンの外面側には、髪の毛の巻き込み防止用ネット４１が備えられている（図４（Ｂ）図参照）。髪の長い女性が使用する場合であっても、髪が巻き込まれることがない。
【００５３】
ファンを作動させる電源４２は小袋４３に収容されると共に、ファンから延びる電源ケーブル４５が接続可能とされている（図１参照）。電源用のバッテリーは充電式電池であれば好適であるが限定されない。小袋４３の外面には面ファスナーを有するベルト４４が備えられ、腕の太さに適合させて装着可能とされている。小袋４３を装着させる場所は、腕に限定されず、電源操作が容易な場所、例えば腰ベルト等に装着されてもよい。
【００５４】
電源操作により、ファンの送風の開始・停止のみが選択可能とされていてもよく、送風の開始・停止に加えて、送風量が調整可能とされていてもよい。送風量を調整可能とさせる調整手段は限定されない。例えば、電源４２からファン４０に通電される電圧を変更させることにより、ファンの送風量を調整させてもよく、駆動させるファンの数を変えて、送風量を調整してもよい。
【００５５】
袋本体１１には、ファン４０よりも下方に水平方向に開閉されるファスナー１７が備えられている。このファスナー１７を開けて、袋本体のファン４０よりも下方の送風を妨げない部分に、給水ボトルやタオルといったランニングに必要な物が格納可能とされている。また、袋本体１１の中に、送風を妨げないように保冷剤を格納してもよいことは勿論のことである。
【実施例２】
【００５６】
実施例２では、実施例１の構成に加えて、空気の放出方向を変更させる変換手段を有する体温上昇抑制手段２を、図５を参照して説明する。図５（Ａ）図は、放出方向が人の後頭部に沿う方向とされた状態を示し、図５（Ｂ）図は、放出方向が人の首回りに沿う方向とされた状態を示している。実施例２では、実施例１の構成と相違する構成のみを説明し、共通する構成については同一の符号を付して説明を省略している。実施例３以下も同様としている。
【００５７】
変換手段は、開放部３０の周囲に設けられた蛇腹状のダクト３２とされている。ダクト３２を折り畳んだ状態では、実施例１の場合と同様に、人１００の後頭部に沿う方向に向けて空気が放出される（図５（Ａ）図参照）。一方、ダクト３２の蛇腹部分を展開させ、ダクトの開口部を人１００の首回りに向けさせると、空気の放出方向を首回りに沿うように変更させることができる（図５（Ｂ）図参照）。
【実施例３】
【００５８】
実施例３では、実施例１の構成に加えて、袋本体の内面側１３に開口１８を有する体温上昇抑制手段３を、図６を参照して説明する。図６は、体温上昇抑制手段３の内面側からの斜視図を示している。実施例３では、単一の開口が備えられた例を説明しているが、開口の大きさ・形状・数・配置はこれに限定されないことは勿論のことである。
【００５９】
袋本体の内面側１３において、人の背に接する周囲１４の部分を残し、中央部に大きな開口１８が設けられている。この開口１８を通して人の汗が袋本体の中の空間１２に放散される。また、開口１８と人の背中とが面する位置においては、ウェアと袋本体の内面側１３とが接していないため、ウェアの一部が人の背中から離れやすい状態となる。そのため、ウェアに染みこんだ汗がより気化されやすくなり、体温上昇抑制の効果を大きくすることができ、激しい運動により適した体温上昇抑制手段とすることができる。
【実施例４】
【００６０】
実施例４では、実施例１の構成に加えて、人の頭部を覆うフード５０を有する体温上昇抑制手段４及び体温上昇抑制手段５を、図７を参照して説明する。図７（Ａ）図は、人が被った鍔付帽子５３を覆うようにフード５０を装着させた体温上昇抑制手段４を示している。図７（Ｂ）図は、体温上昇抑制手段４の構成に加えて、人の顔面部を覆うフェイスマスク５５が備えられた体温上昇抑制手段５を示している。
【００６１】
フード５０は、袋本体１１の上端部と環状帯体２１に沿って、開放部３０と人１００の頭部とを覆うように延びて備えられている。フード５０の端部には面ファスナー５１が備えられ、袋本体１１と着脱自在に装着可能とされている。フードと袋本体とが一体型とされていてもよいことは勿論のことである。
【００６２】
フード５０の材質は限定されず、人１００の頭部への日射を和らげることができればよい。例えば、天然繊維であってもよく、防水性のあるポリエステル・ナイロン等の合成繊維であってもよい。なお、防水性のあるポリエステル等とすれば、ランニングや農作業の際に、雨が降り出した場合に、頭部が濡れることを防止できる。
【００６３】
また、フード５０は鍔付帽子５３との外れ止め防止手段を有している。外れ止め防止手段は、フードの顔出し部の上方側に設けられた紐体５２と、鍔付帽子５３の鍔部に設けられた係止部５４からなっている。鍔付帽子５３を覆うようにフードを被り、紐体５２が係止部５４に引っ掛けられることにより、フード５０の外れ止めがされる。係止部５４は、紐体５２を引っ掛けることができればよく、例えばボタン等を鍔部に固定させたものであってもよい。外れ止め手段の別例としては、紐体に挟持手段を設けておき鍔部を挟持させてもよい。
【００６４】
更に、体温上昇抑制手段５では、フード５０の側面から人１００の顔面部を覆うフェイスマスク５５を備えさせている（図７（Ｂ）図参照）。フェイスマスク５５は、人の目を避けて顔面部を覆っていればよく、形態は限定されない。フェイスマスク５５の材質は上述したフード５０と同様であればよい。なお、開放部３０から放出された空気は、首回りにあるフードとフェイスマスクとの隙間５６や、フェイスマスクの下端の開放部分５７から分散して放散される。
【実施例５】
【００６５】
実施例５では、幼児１０２を抱くための抱っこ紐６０に適用した体温上昇抑制手段６及び体温上昇抑制手段７を、図８を参照して説明する。図８（Ａ）図は、装着対象が幼児１０２のみとされる体温上昇抑制手段６を示し、図８（Ｂ）図は、装着対象が幼児１０２及び親１０１の両者とされる体温上昇抑制手段７を示している。
【００６６】
まず、抱っこ紐６０について簡単に説明する。抱っこ紐とは、幼児を抱っこ又は背負うための補助具であり、幼児を包むように保持させる幼児保持部６１と、親の体に抱っこ紐を装着させる環状帯体６２とを有している。幼児を抱く際には、親１０１と幼児１０２とが向かい合うように、幼児保持部６１に幼児を包ませた状態で、環状帯体６２に親が腕を通して、抱っこ紐６０が装着される（図８（Ａ）図参照）。
【００６７】
体温上昇抑制手段６は、抱っこ紐６０の幼児保持部６１と一体をなし、幼児保持部６１の外面側に配置される袋本体６３と、送風手段をなす通気パイプ７１とファン７０と電源４２とからなっている。通気性を有する袋本体の内面側１３が、幼児保持部６１の背当て部をなしている。幼児１０２の汗は、袋本体の内面側１３を通して、袋本体内の空間１２に放散される。装着手段は、幼児保持部から延びる環状帯体６２とされる。環状帯体６２は、実施例１と同様に、長さ調整手段（図示を省略している）により長さ調整が可能とされる。
【００６８】
送風手段は、ファン７０と通気パイプ７１と電源４２を有している。通気パイプ７１は、袋本体６３の下部とファン７０とを連通させている。ファン７０を袋本体６３から離間させた状態で、通気パイプ７１を通して、ファン７０から袋本体６３に送風させ、幼児１０２にファン７０の駆動による振動や音を伝えないようにしている。
【００６９】
通気パイプ７１の長さは限定されない。例えば、袋本体６３の下部から親１０２の側腹部近傍まで届く長さであればよい（図８（Ａ）図参照）。通気パイプ７１の材質は限定されず、例えば樹脂管等の柔軟性のあるパイプであればよい。ファン７０及び電源４２を格納させる小袋４３は、任意の場所、例えば、環状帯体６２に固定させればよい。
【００７０】
体温上昇抑制手段７は、抱っこ紐がなす第１の袋本体６４と、親が背中側に背負う第２の袋本体６５とを有している。第２の袋本体６５の外面側には、第２の袋本体に送風させる左右一対のファン４０と、第１の袋本体に送風させる幼児用ファン７２とが備えられている。幼児用ファン７２は、通気パイプ７１により第１の袋本体６４の下部と連通されている。体温上昇抑制手段７では、左右一対のファン４０と幼児用ファン７２を同一の電源により駆動させているが、各々が独立した電源により駆動されてもよい。独立した電源により駆動させる場合には、親と幼児の汗のかき方に適合するように、各々のファンの送風量を調整させるとよい。
【実施例６】
【００７１】
実施例６では、実施例１の構成に加えて、環状帯体２５に通気パイプ８０が格納されている体温上昇抑制手段８を、図９を参照して説明する。図９は、体温上昇抑制手段８を装着した人１００の側面図を示している。体温上昇抑制手段８は、実施例１の構成に加えて、環状帯体２５の内側面が通気性を有すると共に、通気パイプ８０と、通気パイプに送風するファン８２とを有している。
【００７２】
実施例６では、環状帯体のうち、袋本体１１の上方部から延びる上部帯体２６にのみ通気パイプ８０が格納されている例を示している。上部帯体２６は、人１００と接する内面側が通気性を有している。通気パイプ８０には、分散した位置に通気孔８１が形成されている。通気パイプ８０の材質は限定されず、樹脂管等の柔軟性のあるパイプであればよい。通気孔８１の間隔・大きさ等は限定されない。ファン８２から通気パイプ８０に送風されると、通気パイプに形成された通気孔８１を通じて、上部帯体２６の内面側から人に向けて放出される。
【００７３】
（その他）
・ファンを袋体から離れた位置、例えば人の腰に引っ掛けて、ファンと電源と送風管とを送風手段として、ファンから袋体まで送風管を通して送風するようにしてもよい。
・袋本体の外面には、空気の流通に支障がない範囲で物、例えば、タオル・保冷材・給水ボトル等が格納可能とされていてもよい。
・ランニング用に使用する場合には、ファン等にＬＥＤの発光手段を設けておけば、夜間のランニングに好適である。また、袋本体の送風を妨げない部分に酸素ボトルを格納しておき、徐々に酸素を放出させるようにしてもよい。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００７４】
１，２，３，４，５，６，７，８…体温上昇抑制手段、
１０…袋体、１１…袋本体、１２…空間、１３…内面側、１４…周囲、１５…外面側、
１６…下方部、１７…ファスナー、１８…開口、１９…上方部、
２０…装着手段、２１，２５…環状帯体、２２…胸帯体、２３…腰帯体、
２４…連結具、２６…上部帯体、
３０…開放部、３１…ファスナー、３２…ダクト、
４０…ファン、４１…巻き込み防止用ネット、４２…電源、４３…小袋、
４４…ベルト、４５…電源ケーブル、
５０…フード、５１…面ファスナー、５２…紐体、５３…鍔付帽子、５４…係止部、
５５…フェイスマスク、５６…隙間、５７…開放部分、
６０…抱っこ紐、６１…幼児保持部、６２…環状帯体、６３…袋本体、
６４…第１の袋本体、６５…第２の袋本体
７０…ファン、７１…通気パイプ、７２…幼児用ファン、
８０…通気パイプ、８１…通気孔、８２…ファン、
１００…人、１０１…親、１０２…幼児
【要約】  装着された面の体温上昇をむらなく抑制させると共に、使用可能時間が長く、装着対象の姿勢の変化に追随しやすい体温上昇抑制手段を提供することを課題とする。  装着対象の体温上昇を抑制させる体温上昇抑制手段（１）に、袋体（１０）と、送風手段とを含み、前記袋体は、袋本体（１１）と、前記袋本体を前記装着対象からずれないように装着させる装着手段（２０）とを有し、前記送風手段は、電源（４２）とファン（４０）とを有し、前記袋本体に空気を送風させるようにした。前記袋本体が、前記装着対象の体に沿って膨らんでいると共に開放部（３０）を有する空間をなし、前記開放部が、前記袋本体のいずれかの端部に備えられ、前記装着対象に面する前記袋本体の内面側が通気性を有し、前記内面側の周囲が前記装着対象に接するように装着され、前記空間の中に送風された前記空気が、前記装着対象の体に沿って流れてから前記開放部から放出されるようにした。【図１】
0006327778.tif 000002
【図２】
0006327778.tif 000003
【図３】
0006327778.tif 000004
【図４】
0006327778.tif 000005
【図５】
0006327778.tif 000006
【図６】
0006327778.tif 000007
【図７】
0006327778.tif 000008
【図８】
0006327778.tif 000009
【図９】
0006327778.tif 000010